(57)【要約】【課題】ブラシ等が容器から落下しにくくするという要請を満足させながら、ブラシ等を容器から取り出しやすくする棒状部材の自動起立構造を提供し及びそのような構造を持つ棒状部材を容易に製造できる方法を提供すること【解決手段】棒状部材５の起立作用部３４に、転動面３２と起立支承面３５とが形成され、起立支承面の近傍には第１磁極が一端方向に向いた状態で第１磁石３１が設けられ、第１磁極の磁力が起立支承面に作用している。起立動作面２５の近傍には、第１磁極と反対の第２磁極が上側に向いた第２磁石２３または強磁性体が設けられ、第２磁極の磁力が起立動作面に作用している。棒状部材は、２つの磁石の磁力吸引力により、横臥状態から起立状態に自動的に移行可能なように常時起立方向への付勢力を受け、容器の蓋体１１の閉鎖時にこの付勢力に抗して棒状部材を載置面１９内で横臥状態に維持する起立規制部３７を有する。【選択図】図１
2005000644.tif 000002
【特許請求の範囲】
【請求項１】
一端及び他端を有するロッド部及び該ロッド部の一端側に設けられる起立作用部を有する棒状部材と、該棒状部材の横臥状態で収容可能であり前記棒状部材の起立作用部が起立動作を行うための起立動作面を備える載置面及び前記載置面の開放部を開閉可能な蓋体を備える容器とを備えており、
前記棒状部材の起立作用部には、前記起立動作面上で前記棒状部材の起立方向に転動可能な転動面と、前記転動面よりも前記棒状部材の一端側の先端寄りに隣接する起立支承面とが形成されており、前記起立支承面の近傍には第１磁極が一端方向に向いた状態で第１磁石が設けられ、該第１磁極の磁力が前記起立支承面に作用しており、
前記起立動作面の近傍には、前記第１磁極と反対の第２磁極が上側に向いた第２磁石または強磁性体が設けられ、該第２磁極の磁力が前記起立動作面に作用しており、
前記棒状部材は、前記第１磁石の第１磁極と前記第２磁石の第２磁極との間の磁力吸引力、または前記第１磁石の第１磁極と前記強磁性体との間の磁力吸引力により、前記転動面が前記起立動作面上で転動して横臥状態から起立状態に自動的に移行可能なように常時起立方向へ回動する付勢力を受けており、
前記容器の蓋体は、その閉鎖時に、前記起立方向への付勢力に抗して前記棒状部材を載置面内で横臥状態に維持可能な起立規制部を有することを特徴とする棒状部材の自動起立構造。
【請求項２】
一端及び他端を有するロッド部及び該ロッド部の一端側に設けられる起立作用部を有する棒状部材と、該棒状部材の横臥状態で収容可能であり前記棒状部材の起立作用部が起立動作を行うための起立動作面を備える載置面及び前記載置面の開放部を開閉可能な蓋体を備える容器とを備えており、
前記棒状部材の起立作用部には、前記起立動作面上で前記棒状部材の起立方向に転動可能な転動面と、前記転動面よりも前記棒状部材の一端側の先端寄りに隣接する起立支承面とが形成されており、前記起立支承面の近傍には強磁性体が設けられ、
前記起立動作面の近傍には、第２磁石が設けられ、該第２磁石の磁力が前記起立動作面に作用しており、
前記棒状部材は、前記強磁性体と前記第２磁石との間の磁力吸引力により、前記転動面が前記起立動作面上で転動して横臥状態から起立状態に自動的に移行可能なように常時起立方向へ回動する付勢力を受けており、
前記容器の蓋体は、その閉鎖時に、前記起立方向への付勢力に抗して前記棒状部材を載置面内で横臥状態に維持可能な起立規制部を有することを特徴とする棒状部材の自動起立構造。
【請求項３】
請求項１または２において、前記棒状部材の起立作用部は球形または楕球形の磁石から構成されており、該磁石の最も磁力密度の高い磁極点の一方が前記第１磁石の第１磁極として、前記棒状部材の起立時に真下に位置するように配置されており、前記第１磁極として作用する磁極点の周囲の湾曲面が転動面であることを特徴とする棒状部材の自動起立構造。
【請求項４】
請求項１〜３のいずれかにおいて、前記蓋体は回動軸の周囲で回動することにより開閉可能であり、前記起立動作面は前記載置面の蓋体の回動軸寄りに位置し、前記棒状部材が起立状態から横臥状態に移行する際の回動方向は、前記蓋体の開放状態から閉鎖状態への回動方向と同じであることを特徴とする棒状部材の自動起立構造。
【請求項５】
請求項１〜４のいずれかにおいて、前記起立作用部はキャップの一端側に設けられており、前記キャップの他端には前記ロッド部の一端の形状に適合した開口部が形成されていることを特徴とする棒状部材の自動起立構造。
【請求項６】
請求項１及び３〜５のいずれかにおいて、前記載置面には第１の棒状部材と第２の棒状部材とを並べて収納可能であり、また前記第１及び第２の棒状部材のために第１及び第２の起立動作面が形成されており、前記第１及び第２の起立動作面は、各起立動作面上に前記第１及び第２の棒状部材の起立作用部が位置しているときに、前記第１の棒状部材における磁石と第２の棒状部材における磁石とが互いに吸着しない程度に離れて位置していることを特徴とする棒状部材の自動起立構造。
【請求項７】
請求項６において、前記第１の棒状部材と第２の棒状部材とは、起立状態から横臥状態に移行するときに互いに他方の棒状部材の方へ回動することを特徴とする棒状部材の自動起立構造。
【請求項８】
一端及び他端を有するロッド部と該ロッド部の一端に設けられる起立作用部とを含む棒状部材と、載置面と該載置面と対向する面を開閉可能な蓋体とを含む容器とを備えており、
前記起立作用部は球面の一部または楕球面を有する第１磁石を有し、前記第１磁石の前記球面の一部または楕球面が前記棒状部材の起立時に前記載置面の方へ磁極が向くように前記第１磁石がロッドの一端に取付けられており、
前記載置面は、前記棒状部材が起立動作を行う起立動作面と、前記起立動作面付近に磁力を及ぼす第２磁石とを有し、
前記第１磁石と前記第２磁石とは、前記棒状部材が前記起立動作面に起立しているときに対向している磁極が異なり、前記第１磁石と前記第２磁石との磁力吸引力により、前記棒状部材が横臥状態から起立状態に自動的に移行可能なように常時起立方向へ回動するように付勢力を及ぼし、前記蓋体の開放時には、前記付勢力により前記棒状部材は起立し、前記蓋体の閉鎖時には、前記付勢力に抗して、前記棒状部材を前記容器内で横臥状態に維持できることを特徴とする棒状部材の自動起立構造。
【請求項９】
請求項８に記載の第１磁石を棒状部材の一端に取り付ける方法であり、
前記棒状部材が起立支承面に起立しているときに前記第２磁石に対向する第１磁石の磁極と反対の磁極を有する作業面を準備する工程と、
前記作業面上に、球面の一部または楕球面を有する第１磁石を自然状態で載置する工程と、
前記作業面上に載置された第１磁石の真上から前記ロッド部の一端側を第１磁石の上面側に接触させて接着剤により接着する工程とを備えることを特徴とする棒状部材の製造方法。
【請求項１０】
請求項１〜３及び５のいずれか１項において、前記蓋体は回動軸の周囲で回動することにより開閉可能であり、前記棒状部材の起立支承面は平坦であり、前記棒状部材が、前記起立支承面が起立動作面に面して起立しているときに、前記棒状部材は前記蓋体の回動軸の方へ傾斜しており、前記蓋体の閉鎖動作に連動して前記棒状部材は起立状態から前記回動軸側へ倒れて、前記載置面内での横臥状態に移行可能であることを特徴とする棒状部材の自動起立構造。
【請求項１１】
請求項１〜３及び５のいずれか１項において、前記蓋体は回動軸の周囲で回動することにより開閉可能であり、前記起立動作面は、前記棒状部材の前記起立支承面が起立動作面に面して起立しているときに、前記棒状部材が前記蓋体の回動軸の方へ傾斜するように直線的に斜めにまたは湾曲して形成されており、前記蓋体の閉鎖動作に連動して前記棒状部材は起立状態から前記回動軸側へ倒れて、前記載置面内での横臥状態に移行可能であることを特徴とする棒状部材の自動起立構造。
【請求項１２】
請求項７において、前記蓋体は回動軸の周囲で回動することにより開閉可能であり、前記蓋体の内面側には、蓋体の閉鎖時に前記第１及び第２の棒状部材の先端側に当接して第１及び第２の棒状部材を互いに他方の棒状部材の方へ回動させるように案内する回動案内面を備えることを特徴とする棒状部材の自動起立構造。
【請求項１３】
請求項１〜１２のいずれか１項において、前記容器は化粧用コンパクトケースのケース本体であり、前記棒状部材は化粧用ブラシまたは化粧用チップであることを特徴とする棒状部材の自動起立構造。
【発明の詳細な説明】
【発明の詳細な説明】
【０００１】
【発明の属する技術分野】
【０００２】
本発明は、例えば化粧用ブラシなどの棒状部材が自動的に起立する構造及びそのような棒状部材の製造方法に関する。
【従来の技術】
【０００３】
化粧用ブラシ等を容器に保管するには、ブラシ等をその収納部内に寝かせた状態で並べて収納することが多いが、収納する容器は、ブラシ等の携帯に便利な様に小さく及び薄くなる傾向にある。使用に際しては、使用者はこれらの容器の蓋を開けて、寝かせた状態にあるブラシ等を指で掴み上げていた。しかし使用者が蓋を開けたときの振動等により、収納されているブラシ等を落としてしまうことがある。例えば棒状部材が化粧用ブラシやチップである場合には、地面に落下することによって、ブラシ等が不衛生になり、使用できなくなったり、棒状部材が傷つきやすいものである場合には、落下によって破損してしまうなどの問題点があった。
【０００４】
そこで従来、留め金等の複雑な構造を採用することなく、ブラシ等を確実に容器内に保持しておくために、ブラシ等に磁石を設けて、容器側の磁石との吸着力によりブラシ等が不意に容器から落下することを防止する構造が、米国特許第５，１３５，０１２号において提案されている。
【特許文献１】米国特許第５，１３５，０１２
【発明の開示】
【発明が解決しようとする課題】
【０００５】
しかしブラシ等には様々な形状や寸法のものがあるため、使用者がブラシ等を手で掴むことが困難であったり、また、ブラシ等に合わせた容器の寸法が小さく且つ薄いため、同様に手で掴むことが困難な場合がある。さらに、狭い場所で使用する場合には、容器の大きさに余裕があったとしても、ブラシ等を容器から取り出しにくいことがある。更にまた上記米国特許第５，１３５，０１２号で提案されているように、磁力でブラシ等を容器内に保持しておく構造では、かえって容器からブラシ等を取り出しにくくなることがある。
【０００６】
そこで本発明の課題は、ブラシ等が容器から落下しにくくするという要請を満足させながら、ブラシ等を容器から取り出しやすくする棒状部材の自動起立構造を提供し及びそのような構造を持つ棒状部材を容易に製造できる方法を提供することにある。
【課題を解決するための手段】
【０００７】
上記課題を達成するため、本発明の第１の態様に係る棒状部材の自動起立構造は、一端及び他端を有するロッド部及び該ロッド部の一端側に設けられる起立作用部を有する棒状部材と、該棒状部材の横臥状態で収容可能であり前記棒状部材の起立作用部が起立動作を行うための起立動作面を備える載置面及び前記載置面の開放部を開閉可能な蓋体を備える容器とを備えており、前記棒状部材の起立作用部には、前記起立動作面上で前記棒状部材の起立方向に転動可能な転動面と、前記転動面よりも前記棒状部材の一端側の先端寄りに隣接する起立支承面とが形成されており、前記起立支承面の近傍には第１磁極が一端方向に向いた状態で第１磁石が設けられ、該第１磁極の磁力が前記起立支承面に作用しており、前記起立動作面の近傍には、前記第１磁極と反対の第２磁極が上側に向いた第２磁石または強磁性体が設けられ、該第２磁極の磁力が前記起立動作面に作用しており、前記棒状部材は、前記第１磁石の第１磁極と前記第２磁石の第２磁極との間の磁力吸引力、または前記第１磁石の第１磁極と前記強磁性体との間の磁力吸引力により、前記転動面が前記起立動作面上で転動して横臥状態から起立状態に自動的に移行可能なように常時起立方向へ回動する付勢力を受けており、前記容器の蓋体は、その閉鎖時に、前記起立方向への付勢力に抗して前記棒状部材を載置面内で横臥状態に維持可能な起立規制部を有することを特徴とするものである。
【０００８】
本発明の第１の態様によれば、第１磁石の第１磁極と第２磁石の第２磁極との間の磁力吸引力、または第１磁石の第１磁極と強磁性体との間の磁力吸引力により、転動面には起立方向へ回動する付勢力が常に働いている。蓋体が閉鎖されている時には、この付勢力により棒状部材が起立方向に回動しようとする動きは、棒状部材の他端側に蓋体の起立規制部が当接することにより抑えられている。この状態から容器の蓋体が開放されると、この付勢力により、転動面が起立動作面上で転動して、棒状部材が横臥状態から起立状態に自動的に移行して起立する。従って使用者は棒状部材を掴みやすくなり、容器から取り出すのが容易となる。また棒状部材は磁力吸引力により容器に吸着しているから、蓋体を開ける時の振動や容器が傾いたりすることにより棒状部材が落下する危険性が少ない。
【０００９】
また、本発明の第２の態様によれば、一端及び他端を有するロッド部及び該ロッド部の一端側に設けられる起立作用部を有する棒状部材と、該棒状部材の横臥状態で収容可能であり前記棒状部材の起立作用部が起立動作を行うための起立動作面を備える載置面及び前記載置面の開放部を開閉可能な蓋体を備える容器とを備えており、前記棒状部材の起立作用部には、前記起立動作面上で前記棒状部材の起立方向に転動可能な転動面と、前記転動面よりも前記棒状部材の一端側の先端寄りに隣接する起立支承面とが形成されており、前記起立支承面の近傍には強磁性体が設けられ、前記起立動作面の近傍には、第２磁石が設けられ、該第２磁石の磁力が前記起立動作面に作用しており、前記棒状部材は、前記強磁性体と前記第２磁石との間の磁力吸引力により、前記転動面が前記起立動作面上で転動して横臥状態から起立状態に自動的に移行可能なように常時起立方向へ回動する付勢力を受けており、前記容器の蓋体は、その閉鎖時に、前記起立方向への付勢力に抗して前記棒状部材を載置面内で横臥状態に維持可能な起立規制部を有することを特徴とするものである。
【００１０】
本態様によっても、第１の態様と同様な作用効果が得られる。
また、本発明の第３の態様に係る棒状部材の自動起立構造は、上記第１または２の態様において、前記棒状部材の起立作用部は球形または楕球形の磁石から構成されており、該磁石の最も磁力密度の高い磁極点の一方が前記第１磁石の第１磁極として、前記棒状部材の起立時に真下に位置するように配置されており、前記第１磁極として作用する磁極点の周囲の湾曲面が転動面であることを特徴とするものである。本態様によれば、起立作用部が球形または楕円形であるから、磁極点の周囲３６０度に亘る湾曲面が転動面となっている。従って棒状部材を載置面に収容する際に、棒状部材の向きを気にすることなく載置できる。
【００１１】
また、本発明の第４の態様に係る棒状部材の自動起立構造は、前記蓋体は回動軸の周囲で回動することにより開閉可能であり、前記起立動作面は前記載置面の蓋体の回動軸寄りに位置し、前記棒状部材が起立状態から横臥状態に移行する際の回動方向は、前記蓋体の開放状態から閉鎖状態への回動方向と同じであることを特徴とするものである。本態様によれば、載置面蓋体を閉鎖する際、蓋体を僅かに下方へ回動させただけで蓋体の起立規制部が棒状部材の他端側に当接する。その後、蓋体を更に回動させることにより、棒状部材も同じ方向に回動して載置面上で横臥状態となる。従って使用者は棒状部材の倒れる向きを決めるように手を添える必要がなく、片手による蓋体の閉鎖動作だけで棒状部材を起立状態から横臥状態へ移行させることができる。
【００１２】
また、本発明の第５の態様に係る棒状部材の自動起立構造は、前記起立作用部はキャップの一端側に設けられており、前記キャップの他端には前記ロッド部の一端の形状に適合した開口部が形成されていることを特徴とするものである。本態様によれば、起立作用部は予め棒状部材に設けずに、別の部材であるキャップに設けることができる。そのため、棒状部材とキャップとを別々に製造し、棒状部材に後でこのキャップを装着することができる。また例えば化粧用ブラシ等、既存の棒状部材に合わせてキャップを製造すれば、既存の棒状部材に本発明の自動起立構造を後付けすることができる。
【００１３】
また、本発明の第６の態様に係る棒状部材の自動起立構造は、上記第１及び第３〜第５の態様において、前記載置面には第１の棒状部材と第２の棒状部材とを並べて収納可能であり、また前記第１及び第２の棒状部材のために第１及び第２の起立動作面が形成されており、前記第１及び第２の起立動作面は、各起立動作面上に前記第１及び第２の棒状部材の起立作用部が位置しているときに、前記第１の棒状部材における磁石と第２の棒状部材における磁石とが互いに吸着しない程度に離れて位置していることを特徴とするものである。第１の棒状部材における磁石と第２の棒状部材における磁石とが近い状態で２つの棒状部材を載置面上に載置すると、２つの棒状部材の磁石同士が吸着してしまい、上記で述べたような棒状部材の自動起立作用が発揮されない場合がある。本態様によれば、２つの起立動作面が、２つの棒状部材の磁石同士が吸着しない程度に離れているから、蓋体を開けた際に各棒状部材が互いに干渉することなく独立に起立することができる。そのため、各々の棒状部材を使用するときに、使用者は２種類の棒状部材を混同することなくスムーズに取り出すことが出来る。
【００１４】
また、本発明の第７の態様に係る棒状部材の自動起立構造は、上記の第６の態様において、前記第１の棒状部材と第２の棒状部材とは、起立状態から横臥状態に移行するときに互いに他方の棒状部材の方へ回動することを特徴とするものである。本態様によれば、第１の棒状部材と第２の棒状部材の一端側を載置面の両端にそれぞれ配置することができるため、２つの棒状部材の載置面収納スペースを最小とすることができる。
【００１５】
また、本発明の第８の態様に係る棒状部材の自動起立構造は、一端及び他端を有するロッド部と該ロッド部の一端に設けられる起立作用部とを含む棒状部材と、載置面と該載置面と対向する面を開閉可能な蓋体とを含む容器とを備えており、前記起立作用部は球面の一部または楕球面を有する第１磁石を有し、前記第１磁石の前記球面の一部または楕球面が前記棒状部材の起立時に前記載置面の方へ磁極が向くように前記第１磁石がロッドの一端に取付けられており、前記載置面は、前記棒状部材が起立動作を行う起立動作面と、前記起立動作面付近に磁力を及ぼす第２磁石とを有し、前記第１磁石と前記第２磁石とは、前記棒状部材が前記起立動作面に起立しているときに対向している磁極が異なり、前記第１磁石と前記第２磁石との磁力吸引力により、前記棒状部材が横臥状態から起立状態に自動的に移行可能なように常時起立方向へ回動するように付勢力を及ぼし、前記蓋体の開放時には、前記付勢力により前記棒状部材は起立し、前記蓋体の閉鎖時には、前記付勢力に抗して、前記棒状部材を前記容器内で横臥状態に維持できることことを特徴とするものである。
【００１６】
本態様によれば、第１磁石と第２磁石との間の磁力吸引力により、転動面には起立方向へ回動する付勢力が常に働いている。蓋体が閉鎖されている時には、この付勢力により棒状部材が起立方向に回動しようとする動きは、棒状部材の他端側に蓋体の起立規制部が当接することにより抑えられている。この状態から容器の蓋体が開放されると、この付勢力により、転動面が起立動作面上で転動して、棒状部材が横臥状態から起立状態に自動的に移行して起立する。従って使用者は棒状部材を掴みやすくなり、容器から取り出すのが容易となる。また棒状部材は磁力吸引力により容器に吸着しているから、蓋体を開ける時の振動や容器が傾いたりすることにより棒状部材が落下する危険性が少ない。また起立作用部が球面の一部または楕球面を有するから、磁極点の周囲３６０度に亘る湾曲面が転動面となっている。従って棒状部材を載置面に収容する際に、棒状部材の向きを気にすることなく載置できる。
【００１７】
また、本発明の第９の態様に係る棒状部材を製造する方法は、上記第１磁石を棒状部材の一端に取り付ける方法であり、前記棒状部材が起立支承面に起立しているときに前記第２磁石に対向する第１磁石の磁極と反対の磁極を有する作業面を準備する工程と、前記作業面上に、球面の一部または楕球面を有する第１磁石を自然状態で載置する工程と、前記作業面上に載置された第１磁石の真上から前記ロッド部の一端側を第１磁石の上面側に接触させて接着剤により接着する工程とを備えることを特徴とするものである。
【００１８】
本態様によれば、準備した作業面に第１磁石を自然状態で載置したときに、作業面の上向きの磁極と吸着し合う第１磁石の磁極が自然に下向きとなる。従ってこの状態でロッドの一端側を第１磁石の上面側に接着剤等で接着することにより、容易に第１磁石付きの棒状部材を作成することができる。
【００１９】
また、本発明の第１０の態様に係る棒状部材の自動起立構造は、上記の第１〜３及び５のいずれかの態様において、前記蓋体は回動軸の周囲で回動することにより開閉可能であり、前記棒状部材の起立支承面は平坦であり、前記棒状部材が、前記起立支承面が起立動作面に面して起立しているときに、前記棒状部材は前記蓋体の回動軸の方へ傾斜しており、前記蓋体の閉鎖動作に連動して前記棒状部材は起立状態から前記回動軸側へ倒れて、前記載置面内での横臥状態に移行可能であることを特徴とするものである。
【００２０】
本態様によれば、蓋体を回動軸の周囲で回動して閉鎖しようとする場合に、蓋体の内面に棒状部材の先端側が当接して棒状部材を上側から押さえつけるようにして、自動的に載置面での横臥状態へ移行させることができる。
【００２１】
また、本発明の第１１の態様に係る棒状部材の自動起立構造は、上記の第１〜３及び５のいずれかの態様において、前記蓋体は回動軸の周囲で回動することにより開閉可能であり、前記起立動作面は、前記棒状部材の前記起立支承面が起立動作面に面して起立しているときに、前記棒状部材が前記蓋体の回動軸の方へ傾斜するように直線的に斜めにまたは湾曲して形成されており、前記蓋体の閉鎖動作に連動して前記棒状部材は起立状態から前記回動軸側へ倒れて、前記載置面内での横臥状態に移行可能であることを特徴とするものである。
【００２２】
本態様によれば、棒状部材の起立状態において、起立動作面が斜めにまたは湾曲して形成されているため、棒状部材が蓋体の回動軸の方へ傾斜して起立している。この状態で蓋体を回動軸の周囲で回動して閉鎖しようとすると、蓋体の内面に棒状部材の先端側が当接して棒状部材を上側から押さえつけるようにして、自動的に載置面での横臥状態へ移行させることができる。
【００２３】
また、本発明の第１２の態様に係る棒状部材の自動起立構造は、上記第７の態様において、前記蓋体は回動軸の周囲で回動することにより開閉可能であり、前記蓋体の内面側には、蓋体の閉鎖時に前記第１及び第２の棒状部材の先端側に当接して第１及び第２の棒状部材を互いに他方の棒状部材の方へ回動させるように案内する回動案内面を備えることを特徴とするものである。
【００２４】
本態様によれば、蓋体を回動軸の周囲で回動して閉鎖しようとすると、回動案内面に第１及び第２の棒状部材の先端側が当接して第１及び第２の棒状部材を互いに他方の棒状部材の方へ回動させる。従って蓋体の閉鎖動作により、第１及び第２の棒状部材を自動的に載置面での横臥状態へ移行させることができる。
【００２５】
また、本発明の第１３の態様に係る棒状部材の自動起立構造は、上記第１〜第１２の態様において、前記容器は化粧用コンパクトケースのケース本体であり、前記棒状部材は化粧用ブラシまたは化粧用チップであることを特徴とするものである。
【発明の実施の形態】
【００２６】
以下、本願発明の実施の形態を図面に基づいて説明する。図１は本発明に係る棒状部材の自動起立構造を化粧用コンパクトケース１に適用した様子を示す斜視図である。化粧用コンパクトケース１は、主として女性が外出時等に化粧をするために使用するものであり、容器に相当するケース本体３と、棒状部材に相当する化粧用ブラシ５とを備えている。
【００２７】
ケース本体３は、基盤７と、基盤７に対して回動軸９の周囲で回動可能に接続された蓋体１１とを備えており、使用時には図１中矢印Ａで示すように蓋体１１をほぼ９０度回動させて基盤７の上面側、即ち開放部８を開放状態とし、一方不使用時には蓋体１１を矢印Ｂで示す方向に回動させて、蓋体１１に形成される係止片１３を基盤７に形成される係止ロック部１５にスナップ留めすることにより、蓋体１１を閉鎖状態に維持できるようになっている。
【００２８】
基盤７の上面側には、回動軸９寄りに化粧用パッド１７が設けられ、係止ロック部１５側には化粧用ブラシ５を収容するための載置面１９が設けられている。また蓋体１１の見開き側の面には鏡２１が設けられている。因みにこのような化粧用コンパクトケース１自体は従来公知のものであり、使用者が化粧用ブラシ５を使用して化粧用パッド１７内に固化している化粧用パウダーを化粧用ブラシ５のブラシ部２９に取り、これを顔に塗って使用することについても従来公知の通りである。
【００２９】
以下、本発明の特徴的構成について説明する。本発明の特徴は、蓋体１１を開けたときに、載置面１９に収容されていた化粧用ブラシ５が図１に示すように自動的に立った状態になる点である。以下、このような作用を生じるための構成を説明するために、本明細書において、化粧用ブラシ５が載置面１９にほぼ平行な状態で収容されている状態を「横臥状態」と称し、横臥状態から化粧用ブラシ５が回動して立ち上がった状態を「起立状態」と称することにする。尚、横臥状態は必ずしも水平状態を意味するものではない。また起立状態は、横臥状態から９０度回動して立ち上った状態だけを意味するものではなく、横臥状態から例えば１０度〜９０度の範囲内で回動して棒状部材に端部が浮き上がった状態を含む概念である。
【００３０】
基盤７の載置面１９の下側には、正面から見て左右両端に円筒形磁石２３が設けられている。図２及び図３に示すように円筒形磁石２３は載置面１９の下側の肉厚部分の中に内蔵されており、該円筒形磁石２３のＮ極２４が上方、即ち載置面１９側に向くように配置されている。本発明では、この円筒形磁石２３のＮ極が他の磁石のＳ極または強磁性体を吸着可能な載置面１９上の範囲（図１において２点鎖線で示す）を起立動作面２５と定義する。本実施形態では、載置面１９の両端にそれぞれ円筒形磁石２３が設けられており、これに対応して２つの起立動作面２５が形成される構成を採用しているが、これは化粧用ブラシ５を使用後に再度載置面１９上に収納する場合に、使用者が化粧用ブラシ５をいずれの方向に向けて収納しても化粧用ブラシ５の起立動作が起こるようにするためである。従ってこのような便宜を考慮しなければ、載置面１９の一方の端部のみに円筒形磁石２３を設ける構成であっても構わない。尚、本実施の形態では、円筒形磁石２３は第２磁石に相当し、円筒形磁石２３のＮ極は第２磁極に相当する。また第２磁石に相当する磁石の形状は、円筒形以外のどのような形状でも構わないし、このような磁石を設ける位置も載置面上、載置面の直下、ケース本体３の裏面側など、実質的に起立動作面に磁力が作用するどのような箇所でも構わない。
【００３１】
化粧用ブラシ５は、一端及び他端を有するロッド部２７と、ロッド部２７の他端側に形成されるブラシ部２９と、第１磁石に相当する球形磁石３１とを備えている。球形磁石３１は、起立状態においてＳ極が真下に向くようにロッド部２７の一端側に接着剤３３を使用して接着されている。尚、球形磁石３１のＳ極は、第１磁石の第１磁極に相当する。球形磁石３１は、化粧用ブラシ５の起立状態においてその下半分側が半球面で構成されるため、化粧用ブラシ５が横臥状態から起立状態に移行するときに、この半球面が転がる作用をなす。このように横臥状態と起立状態との間で転がり作用を生じる面を、本発明では転動面３２と称することにする。本実施形態では、化粧用ブラシ５の起立状態における下半分側の半球面全てが転動面となり得る。
【００３２】
また図１に示すように化粧用ブラシ５が起立状態にあるときに、球形磁石３１が起立動作面２５と接触して化粧用ブラシ５を支持している部分を特に、本発明では「起立支承面３５」と呼ぶこととする。本実施形態では球形磁石３１を使用しているため、起立支承面３５は理論上、点状に存在するが、化粧用ブラシ５の起立状態をより安定させたい場合には、起立支承面３５を平坦にしてもよい。本発明では、この起立支承面３５は、転動面３２よりも化粧用ブラシ５の一端側の先端寄りに、転動面３２と隣接して位置することになる。
【００３３】
上記のように化粧用ブラシ５は、転動面３２の存在による横臥状態から起立状態への転動作用と、起立動作面に作用する円筒形磁石２３に吸着するように作用する球形磁石３１の磁石吸引作用とにより、横臥状態から起立状態へ、即ち起立方向へ自動的に回動する付勢力を受けている。尚、本発明では、上記転動作用と、起立動作面側の磁石との間で磁石吸引作用を生じる棒状部材の部分を「起立作用部３４」と呼ぶこととする。
【００３４】
図１中一点鎖線で示すように蓋体１１の見開き面、即ち鏡２１が設けられた面には、鏡２１の右上部分とその周囲に起立規制部３７が形成されている。起立規制部３７は、図３（ａ）に示すように蓋体１１を閉じているときに、化粧用ブラシ５の起立方向への付勢力に抗して化粧用ブラシ５を載置面１９に横臥状態に維持するように作用する面である。
【００３５】
化粧用コンパクトケース１は以上述べたような構成を備えており、以下、化粧用コンパクトケース１の使用状態について説明しながら、本発明の棒状部材の自動起立構造の作用について説明する。
【００３６】
化粧用コンパクトケース１は、不使用時には、図３（ａ）に示すように蓋体１１が基盤７の開放部８上に回動して閉鎖状態にある。このとき化粧用ブラシ５は、その起立作用部３４が起立動作面２５上に位置する状態で載置面１９上で横臥状態にあり、且つ上記転動作用と、起立動作面側の磁石との間での磁石吸引作用とにより生じる起立方向へ自動的に回動しようとする動きが、蓋体１１の起立規制部３７の存在により制限されている。
【００３７】
この状態から使用者が蓋体１１を図３（ｂ）に示すように開け始めると、起立規制部３７による化粧用ブラシ５の起立方向への動きの制限が解除され、化粧用ブラシ５は自動的に起立方向へ起き上がってくる。
【００３８】
図３（ｃ）及び図２に示すように蓋体１１をほぼ９０度回動させて開放状態にすると、化粧用ブラシ５の起立方向への上記付勢力によって化粧用ブラシ５はほぼ垂直状態に起立する。このとき球形磁石３１のＳ極３６が円筒形磁石２３のＮ極２４に対向して互いの磁力により吸引状態にあるので、蓋体１１開放時の振動や起立動作による化粧用ブラシ５の揺れなどを生じても、化粧用ブラシ５が誤って載置面１９から落下することが防止される。
【００３９】
図３（ｃ）に示す状態になれば、使用者は化粧用ブラシ５を指で容易に摘むことができるため、化粧用ブラシ５を載置面１９から取り出して適宜使用することができる。使用者が化粧用ブラシ５を使用後は、載置面１９上で化粧用ブラシ５を指で押さえつけた状態で蓋体１１を閉鎖状態になるように回動すれば、図３（ａ）に示す不使用状態に戻すことができる。尚、既述したように本実施形態では載置面１９の両端に２つの起立動作面２５が形成されているから、化粧用ブラシ５をいずれの向きに向けて載置面１９上に載置するようにしても構わない。
【００４０】
以上、本発明の棒状部材の自動起立構造の一実施の形態について説明したが、本発明はこの他にも種々の実施の形態を採ることができる。例えば図１の実施形態において球形磁石３１のＳ極３６と円筒形磁石２３のＮ極２４の互いの磁極を代えるようにしても良いし、載置面１９側または起立作用部３４側の磁石の一方を強磁性体に置き換えても構わない。尚、載置面１９側を強磁性体に置き換える場合には、起立作用部３４側の磁石の作用により載置面１９上で起立作用部３４が吸着可能な範囲が起立動作面２５となる。
【００４１】
また図４（ａ）に示すように、起立動作面２５を載置面１９の回動軸９に近い端部に配置することができる。このような実施形態によれば、化粧用ブラシ５が起立状態から横臥状態へ移行する時の回動方向が蓋体１１の閉鎖時の回動方向と同じになるから、蓋体１１を閉じ始めると、蓋体１１の起立規制部３７が化粧用ブラシ５に当接して、化粧用ブラシ５が蓋体１１と同じ方向に回動して載置面１９上で横臥状態になる。そのため、蓋体１１の閉鎖開始時に、使用者が回動方向を決定するために化粧用ブラシ５を指で押さえつける必要はない。
【００４２】
また、図４（ｂ）に示すように、化粧用ブラシ５ａと化粧用チップ５ｂとを並べて収納することができる。この場合、化粧用ブラシ５ａ用の起立動作面２５ａを載置面１９の一端側に配置し、化粧用チップ５ｂ用の起立動作面２５ｂを載置面１９の他端側に設置する。このように起立動作面２５ａと起立動作面２５ｂとを離して配置することにより、化粧用ブラシ５ａの球形磁石３１ａと化粧用チップ５ｂの球形磁石３１ｂとが互いに磁力により吸着されないため、蓋体１１の開放時に支障なく起立動作が行われるようになる。
【００４３】
また、図４（ｃ）に示すように、回動して起き上がる側の部材に起立動作面２５を設けることができる。尚本例では、便宜上、回動して上方へ開く側の部材を基盤７とし、回動時に水平状態にある部材を蓋体１１と称することにする。本例では、載置面１９ａ、１９ｂが、正面から見て回動して起き上がる基盤７の左側と右側とにそれぞれ形成され、起立動作面２５ａ、２５ｂが載置面１９ａ、１９ｂの係止片１３に近い端に形成されている。このように本願発明では、回動して開く部材側に載置面及び起立動作面が形成されていて、棒状部材が、開く部材側において横臥状態から起立状態へ移行する形態をも含むものである。
【００４４】
また、図５に示すように、ロッド２７の一端側に設けられる起立作用部３４の形態には様々なものが考えられる。例えば図５（ａ）に示すように起立作用部３４は、上下面が球面または楕球面の一部を構成する形状であり、上下面の間の周囲が円筒形である形状の磁石３８により構成されるようにしてもよい。また図５（ｂ）に示すように、球形磁石３１の起立支承面３５を平坦するような形状でもよい。
【００４５】
更に図５（ｃ）に示す起立作用部３４の他の実施形態では、球形磁石３１の代わりに、一方向だけに転動可能な転動面３２を有する側面視がほぼ扇形の転動方向規制部材４０を設け、転動方向規制部材４０の下端内部にＳ極を下に向けて磁石４２を設けている。このような実施形態では、化粧用ブラシ５が横臥状態から起立状態へ回動する方向が特定されるとともに、載置面１９上での化粧用ブラシ５の向きも特定されることになる。
【００４６】
更にまた図５（ｄ）に示す実施形態では、起立作用部３４を予め化粧用ブラシ５の一端に設けずに、別の部材として化粧用ブラシ５の一端の形状と適合するキャップ３９の形態として作成しておく。即ち、キャップ３９の下端側には転動面３２が形成され、キャップの内部下端にはＳ極を下に向けて磁石４３が収納されている。このようなキャップ３９を化粧用ブラシ５の一端に挿入することで、化粧用ブラシ５の一端に起立作用部３４が形成される。このように起立作用部３４をキャップの形態とすることで、既存の化粧用ブラシたその他の棒状部材の一端側にキャップを取り付けて、容易に起立作用部３４を棒状部材に付与することができる。
【００４７】
以上本発明の棒状部材の自動起立構造について化粧用コンパクトケース１を例にとって説明したが、本願発明はこれ以外にも棒状部材を収容する種々の容器に適用することができる。例えば筆箱を開けたときに、中に収容されている筆記用具が横臥状態から起立状態になるようにしてもよい。また棒状部材は、化粧用ブラシの他に、筆記用具や歯ブラシなど、容器内で起立することにより使用者が把持しやすくなる種々の物品を含む。更に図１の実施形態では蓋体１１を回動式としたが、必ずしも蓋体１１は回動式である必要はなく、例えば蓋体をそのまま上方へ持ち上げて容器を開けることができる分離式の蓋体や、水平方向に回動させることにより容器を開放状態にすることができる水平回動式など種々の形式の蓋体を含む。
【００４８】
次に図６を参照しながら、図１で示した実施形態の化粧用ブラシ５の一端に球形磁石３１を取付ける方法について説明する。球形磁石３１をロッド部２７に接着剤等を用いて取り付ける場合、球形磁石３１とロッド部２７とを手に持って接着剤等で接着する方法では、球形磁石３１の正確な向きを決定することが困難である。
【００４９】
そこで本発明の棒状部材の製造方法では、図６（ａ）に示すように、化粧用ブラシ５が起立支承面３５上で起立しているときに、起立動作面２５側に向く磁極（図１の実施形態ではＳ極）と反対の磁極、即ちＮ極が上向きになるように磁石を有する作業台４１を準備する。
【００５０】
次に図６（ｂ）に示すように、この作業台４１の上に、球形磁石３１を自然状態で載置する。そうすると、球形磁石３１のＳ極が、作業台４１のＮ極に引かれて自然に下向きになる。そこで、図６（ｃ）に示すように、この状態のまま、化粧用ブラシ５のロッド部２７の一端側を球形磁石３１の真上から接着剤３３で接着する。このような工程により、容易に球形磁石３１付きの化粧用ブラシ５を作成することができる。
【００５１】
次の本発明の他の実施形態について、図７〜図１０を参照しながら説明する。尚、図７〜図１０において上述した実施形態に関する図面中の符号と同一の符号を付した部分または部材は、同一の部分または部材である。
【００５２】
図７に示す実施形態では、化粧用ブラシ５の起立支承面３５は平坦であり、化粧用ブラシ５が、起立支承面３５が起立動作面２５に面して起立しているときに、化粧用ブラシ５は蓋体１１の回動軸９の方へ斜めに傾斜している。図７に示す化粧用ブラシ５の斜めの起立状態から蓋体１１を閉鎖するとき、蓋体１１の内面（鏡側の面）が化粧用ブラシ５のブラシ部２９に当接し、その後更に蓋体１１を閉鎖方向に回動させることにより、蓋体１１の閉鎖動作に連動して化粧用ブラシ５が次第に起立状態から横臥状態に移行し、最終的に蓋体１１が閉鎖したときには、化粧用ブラシ５は載置面１９内で横臥状態になる。このような実施形態では、化粧用ブラシ５の起立状態における傾斜角度は、蓋体１１を閉鎖したときに、起立状態から横臥状態へ移行可能な角度である必要がある。
【００５３】
次に図８に示す実施形態では、化粧用ブラシ５の起立支承面３５は球形であるが、起立動作面２５は、図８に示す如く化粧用ブラシ５の起立支承面３５が起立動作面２５に面して起立しているときに、化粧用ブラシ５が蓋体１１の回動軸９の方へ傾斜するように直線的に斜めに形成されている。尚、直線的に斜めに形成する代わりに起立動作面２５を湾曲して形成してもよい。これにより図８に示す化粧用ブラシ５の斜めの起立状態から蓋体１１を閉鎖するとき、蓋体１１の内面（鏡２１側の面）が化粧用ブラシ５のブラシ部２９に当接し、その後更に蓋体１１を閉鎖方向に回動させることにより、蓋体１１の閉鎖動作に連動して化粧用ブラシ５が次第に起立状態から横臥状態に移行し、最終的に蓋体１１が閉鎖したときには、化粧用ブラシ５は載置面１９内で横臥状態になる。このような実施形態でも、化粧用ブラシ５の起立状態における傾斜角度は、蓋体１１を閉鎖したときに、起立状態から横臥状態へ移行可能な角度である必要がある。尚、本例では起立動作面２５が水平面と直線的に斜めに形成された面に跨って形成されており、円筒形磁石２３が水平面と傾斜面の境界部分の下方付近に位置する実施形態である。
【００５４】
また図９に示す実施形態は、起立動作面２５が斜めに形成されており、円筒形磁石２３が該斜めの起立動作面２５と平行に配置されたものである。このような実施形態によっても図８の実施形態と同様な作用効果が得られる。
【００５５】
更に図１０に示す実施形態は、２本の化粧用ブラシ５ａ、５ｂを並べて収納したものである。本例では、図１０（ｂ）に示すように蓋体１１が回動軸９の周囲で回動して図１０（ａ）に示す開放状態から図１０（ｂ）の矢印の方向に回動して閉鎖するようになっている。２本の化粧用ブラシ５ａ、５ｂは、蓋体１１の回動軸９とほぼ平行な仮想線に沿って並んで配置されている。蓋体１１の内面側（鏡２１側の面）には鏡２１の上方に、正面から見て、中央側が上になるように湾曲している回動案内面４５が形成されている。
【００５６】
回動案内面４５は蓋体１１を閉鎖するときに、起立している２本の化粧用ブラシ５ａ、５ｂのブラシ部２９に当接し、２本の化粧用ブラシ５ａ、５ｂを矢印４７で示すように互いに他方の化粧用ブラシ５ａ、５ｂの方へ回動させるように案内する。図１０（ｂ）に示すように回動案内面４５は、蓋体１１を図１０（ｂ）の矢印の方向に回動させて閉鎖するときに、２本の化粧用ブラシ５ａ、５ｂが図１０（ｂ）の左方向へ回動することを規制するように側面から見て回動軸９と反対側がより下方に延びるように湾曲形成されている。
【００５７】
このような構成により、図１０（ａ）で仮想線で示す化粧用ブラシ５ａ、５ｂの起立状態から蓋体１１を閉鎖するとき、蓋体１１の内面（鏡２１側の面）が化粧用ブラシ５ａ、５ｂのブラシ部２９に当接し、その後更に蓋体１１を閉鎖方向に回動させることにより、蓋体１１の閉鎖動作に連動して化粧用ブラシ５ａ、５ｂが次第に起立状態から横臥状態に移行し、最終的に蓋体１１が閉鎖したときには、化粧用ブラシ５ａ、５ｂは載置面１９内で横臥状態になる。尚、このような実施形態でも、図７乃至図９に関して説明したように化粧用ブラシ５ａ、５ｂを起立状態において斜めになるように構成することもできる。
【図面の簡単な説明】
【００５８】
【図１】本発明の棒状部材の自動起立構造を適用した化粧用コンパクトケースの一実施形態を、蓋体を開けた状態で示す斜視図である。
【図２】本発明の棒状部材の自動起立構造を適用した化粧用コンパクトケースを、蓋体を開けた状態で示す側断面図である。
【図３】化粧用コンパクトケースの蓋体を開けるときの化粧用ブラシの状態を段階的に示す正面断面図である。
【図４】本発明の棒状部材の自動起立構造を適用した化粧用コンパクトケースの３種類の他の実施形態を示す斜視図である。
【図５】（ａ）は棒状部材の一端側に設ける磁石の他の実施形態を示す斜視図であり、（ｂ）は棒状部材の一端側に設ける磁石の起立支承面が平坦である実施形態を示す側面図であり、（ｃ）は起立方向が特定された起立作用部の他の実施形態を示す斜視図であり、（ｄ）は起立作用部をキャップ式とし、棒状部材の一端に着脱可能とした実施形態を示す側断面図である。
【図６】本発明の棒状部材の自動起立構造で使用する棒状部材を作成するために、ロッド部の一端側に球形の磁石を取り付ける工程を段階的に示す説明図である。
【図７】本発明の棒状部材の自動起立構造を適用した化粧用コンパクトケースの更に他の実施形態を示す側断面図である。
【図８】本発明の棒状部材の自動起立構造を適用した化粧用コンパクトケースの更に他の実施形態を示す側断面図である。
【図９】本発明の棒状部材の自動起立構造を適用した化粧用コンパクトケースの更に他の実施形態を示す側断面図である。
【図１０】本発明の棒状部材の自動起立構造を適用した化粧用コンパクトケースの更に他の実施形態を示す（ａ）正面図及び（ｂ）側断面図である。
【符号の説明】
【００５９】
１  化粧用コンパクトケース
３  ケース本体
５、５ａ、５ｂ  化粧用ブラシ
７  基盤
８  開放部
９  回動軸
１１  蓋体
１３  係止片
１５  係止ロック部
１７  化粧用パッド
１９  載置面
２１  鏡
２３  円筒形磁石
２４  円筒形磁石のＮ極
２５、２５ａ、２５ｂ  起立動作面
２７  ロッド部
２９  ブラシ部
３１、３１ａ、３１ｂ  球形磁石
３２  転動面
３３  接着剤
３４  起立作用部
３５  起立支承面
３６  球形磁石のＳ極
３７  起立規制部
３８  磁石
３９  キャップ
４０  転動方向規制部材
４１  作業台
４２  磁石
４３  磁石
４５  回動案内面
４７  矢印
【図１】
2005000644.tif 000003
【図２】
2005000644.tif 000004
【図３】
2005000644.tif 000005
【図４】
2005000644.tif 000006
【図５】
2005000644.tif 000007
【図６】
2005000644.tif 000008
【図７】
2005000644.tif 000009
【図８】
2005000644.tif 000010
【図９】
2005000644.tif 000011
【図１０】
2005000644.tif 000012